(57)【特許請求の範囲】
【請求項１】
トラヒック測定を登録するために登録データが入力されたとき、該登録データにより実施されるトラヒック測定の結果得られるデータの交換機遠隔集中保守装置における処理時間（１）を計算し、
既登録データの測定項目の中から前記登録データと同一測定周期の測定項目の処理時間（２）を求め、前記処理時間（１）と前記処理時間（２）とを加えた合計処理時間により前記登録データの登録可否の判定を行い、登録不可と判断したときは、登録解除しなければならない測定項目の候補を既登録データの測定項目の中から選択することを特徴とする交換機遠隔集中保守装置におけるトラヒック測定登録方法。
【請求項２】
前記登録データは、測定対象交換機、測定項目、測定対象項目数および測定周期とすることを特徴とする請求項１に記載の交換機遠隔集中保守装置におけるトラヒック測定登録方法。
【請求項３】
前記処理時間（１）は、前記登録データの測定項目に対し、予め定めた登録データの測定項目ごとに予め計算した単位処理時間から算出することを特徴とする請求項１または請求項２に記載の交換機遠隔集中保守装置におけるトラヒック測定登録方法。
【請求項４】
前記登録データの登録可否の判定は、処理時間（１）と処理時間（２）とを加えた前記合計処理時間が、前記登録データで指定した周期時間を超えないとき登録可能と判断し、該周期時間を超えたとき登録不可と判断することを特徴とする請求項１から請求項３のいずれか１項に記載の交換機遠隔集中保守装置におけるトラヒック測定登録方法。
【請求項５】
前記登録解除しなければならない測定項目の候補は、既登録データの測定項目の中から、前記既登録データと同一測定周期の測定項目とすることを特徴とする請求項１から請求項４のいずれか１項に記載の交換機遠隔集中保守装置におけるトラヒック測定登録方法。
【請求項６】
前記登録データの登録可否の判定で登録可能と判断したときは、測定項目の登録を更新し、測定対象交換機に対して登録通知を送信することを特徴とする請求項１から請求項５のいずれか１項に記載の交換機遠隔集中保守装置におけるトラヒック測定登録方法。
【請求項７】
前記登録データの登録可否の判定で登録不可と判断したときは、登録解除しなければならない測定項目の候補をオペレータの端末を通じ表示することを特徴とする請求項１から請求項６のいずれか１項に記載の交換機遠隔集中保守装置におけるトラヒック測定登録方法。
【発明の詳細な説明】
【０００１】
【発明の属する技術分野】
本発明は、交換機のトラヒック測定登録を迅速に、かつ、容易にできる交換機遠隔集中保守装置におけるトラヒック測定登録方法に関する。
【０００２】
【従来の技術】
交換機遠隔集中保守装置は複数の交換機に接続され各交換機にて測定されたトラヒックデータの処理を行うが、オペレーターが交換機遠隔集中保守装置にトラヒック測定を登録するとき、同時に測定する交換機数および測定対象数の増加、測定周期の短周期化に伴い交換機遠隔集中保守装置の該トラヒックデータ測定結果のデータ処理負荷が増大し、登録は受け入れられても、トラヒック測定結果の処理が指定した周期時間の間にできない状況が発生することがある。
【０００３】
交換機遠隔集中保守装置により指定した周期時間の間にトラヒック測定の処理ができるかどうかは、トラヒック測定が実施されてその結果のデータが処理されるまで判明しない。
【０００４】
そのため、指定した周期時間の間にトラヒック測定の処理ができなかった場合、さらに、これに対して交換機遠隔集中保守装置のオペレーターは既存の測定項目に対する様々な組み合わせを考え、思考錯誤して、処理可能な組み合わせを探さねばならず、どの程度の負荷まで測定可能なのかを経験によって把握しこれに見合った交換機の数、測定対象の数、測定周期を登録する必要があり、オペレーターにとっては煩わしい作業であり、また、必要な測定を即時に行うことができない状況にある。
【０００５】
【発明が解決しようとする課題】
本発明は、上記に鑑みてなされたものであって、オペレータが交換機遠隔集中保守装置を用いて交換機のトラヒック測定登録を迅速に、かつ、容易にできる交換機遠隔集中保守装置におけるトラヒック測定登録方法を提供することを目的とする。
【０００６】
【課題を解決するための手段】
そこで本発明の交換機遠隔集中保守装置におけるトラヒック測定登録方法は、トラヒック測定を登録するために登録データが入力されたとき、該登録データにより実施されるトラヒック測定の結果得られるデータの交換機遠隔集中保守装置における処理時間（１）を計算し、既登録データの測定項目の中から前記登録データと同一測定周期の測定項目の処理時間（２）を求め、前記処理時間（１）と前記処理時間（２）とを加えた合計処理時間により前記登録データの登録可否の判定を行い、登録不可と判断したときは、登録解除しなければならない測定項目の候補を既登録データの測定項目の中から選択するものである。
【０００７】
また、前記登録データは、測定対象交換機、測定項目、測定対象項目数および測定周期とするものである。
【０００８】
また、前記処理時間（１）は、前記登録データの測定項目に対し、予め定めた登録データの測定項目ごとに予め計算した単位処理時間から算出するものである。
【０００９】
また、前記登録データの登録可否の判定は、処理時間（１）と処理時間（２）とを加えた前記合計処理時間が、前記登録データで指定した周期時間を超えないとき登録可能と判断し、該周期時間を超えたとき登録不可と判断するものである。
【００１０】
また、前記登録解除しなければならない測定項目の候補は、既登録データの測定項目の中から、前記既登録データと同一測定周期の測定項目とするものである。
【００１１】
また、前記登録データの登録可否の判定で登録可能と判断したときは、測定項目の登録を更新し、測定対象交換機に対して登録通知を送信するものである。
【００１２】
さらに、前記登録データの登録可否の判定で登録不可と判断したときは、登録解除しなければならない測定項目の候補をオペレータの端末を通じ表示するものである。
【００１３】
【発明の実施の形態】
以下、本発明の実施の形態について図１、図２、図３を基に説明する。
【００１４】
図１は、本発明に関わる交換機遠隔集中保守装置におけるトラヒック測定登録方法を説明するための交換機遠隔集中保守装置１のブロックと、交換機遠隔集中保守装置１に接続した複数の交換機Ｎｏ.１〜Ｎｏ.ｎを示す。
【００１５】
図２は、図１に示した交換機遠隔集中保守装置１の測定単位処理時間ＤＢ１３に格納されている測定項目とそれに対応した単位処理時間を示す。
【００１６】
図３は、図１に示した交換機遠隔集中保守装置１の測定項目登録状態ＤＢｌ６に記憶されている既登録データの測定対象交換機、測定項目、測定対象項目数、該測定項目の総処理時間、該測定項目の測定周期を示す。
【００１７】
交換機遠隔集中保守装置１は複数の交換機Ｎｏ.１〜Ｎｏ.ｎに接続し、登録データが入力される端末１１と、登録データの入力を受付ける測定登録受付機能１２と、予め定めた測定項目ごとに予め計算された単位処理時間が格納されている単位処理時間ＤＢ１３と、登録データと単位処理時間から登録データにより実施されるトラヒック測定の結果得られるデータの交換機遠隔集中保守装置における処理時間（１）を計算する処理時間計算機能１４と、処理時間（１）と既に登録されている登録データの処理時間（２）とを用い登録が可能か否かを分析し登録の可否を判断する登録許容分析機能１５と、既に登録されている登録データが記憶されている測定項目登録状態ＤＢ１６と、登録可能な場合は測定項目登録状態ＤＢ１６を更新する登録更新機能１７と、測定対象交換機に対して登録通知を送信する交換機登録通知機能１８とで構成される。
【００１８】
次に、オペレータがトラヒック測定を登録するときの交換機遠隔集中保守装置１の動作につき説明する。
【００１９】
オペレータは、交換機遠隔集中保守装置１にトラヒック測定を登録するために端末１１から登録データである測定対象交換機、測定項目、測定対象項目数、測定周期を入力する。
【００２０】
測定登録受付機能１２は、この登録データの入力を受付け、処理時間計算機能１４が登録データの入力の内容と単位処理時間ＤＢ１３内に格納された予め定めた測定項目ごとの単位処理時間から、入力した登録データにより実施されるトラヒック測定の結果得られるデータの交換機遠隔集中保守装置における処理時間（１）を計算する。測定単位処理時間ＤＢ１３には、図２に示す如く予め定めた測定項目ごとに予め計算した単位処理時間が格納されている。
【００２１】
次に登録許容分析機能１５が測定項目登録状態ＤＢ１６を用いて登録が可能か否かを分析し登録の可否を判断する。この測定項目登録状態ＤＢｌ６には、図３に示す如く既に登録されている既登録データの測定対象交換機、測定項目、測定対象項目数、該測定項目の総処理時間および、該測定項目の測定周期が記憶されている。
【００２２】
測定項目登録状態ＤＢ１６に記憶されている既登録データの測定項目の内、今回入力した登録データと同一測定周期の全測定項目の処理時間（２）を求め、処理時間（１）に加える。
【００２３】
登録許容分析機能１５は、処理時間（１）と処理時間（２）とを加えた合計処理時間が、今回入力した登録データの周期時間を超えないときは処理可能で登録可と判断する。登録許容分析機能１５は、合計処理時間が、今回入力した登録データの周期時間を超えたときは処理不可で登録不可と判断し、今回入力した登録データの登録をするために、既に登録された測定項目から登録解除しなければならない測定項目の候補を、既登録データの測定項目の中から選択し交換機遠隔集中保守装置ｌのオペレータに端末１１を通じ表示する。
【００２４】
この登録解除しなければならない測定項目の候補は、既登録データの測定項目の中から、前記既登録データと同一測定周期の測定項目とすることも、また、前記既登録データと同一測定周期の測定項目の中から選択した測定項目とすることもできる。
【００２５】
登録許容分析機能１５が登録可と判断した場合は、登録更新機能１７は測定項目登録状態ＤＢ１６を更新し、交換機登録通知機能１８は測定対象交換機に対して登録通知を送信する。
【００２６】
以上述べたごとく、従来は、トラヒック測定を登録するとき、登録は受け入れられても、トラヒック測定の結果得られるデータの交換機遠隔集中保守装置における処理が指定した周期時間の間にできない状況が発生することがあり、トラヒック測定の結果得られるデータの交換機遠隔集中保守装置における処理が指定した周期時間の間にできなかった場合、オペレーターは、既存の測定項目に対する様々な組み合わせを考え、思考錯誤して、処理可能な組み合わせを探さねばならなず、どの程度の負荷まで測定可能なのかを経験によって把握しこれに見合った交換機の数、測定対象の数、測定周期を登録する必要があり、オペレーターにとっては煩わしい作業であり、また、必要なトラヒック測定を即時に行うことができない状況にあるが、本発明の交換機遠隔集中保守装置におけるトラヒック測定登録方法を用いることにより、トラヒック測定の処理が指定した周期時間の間にできずトラヒック測定の登録が不可となってもその状況を測定登録時点で知ることができ、もし登録不可の場合は既登録データのどの測定項目を解除すれば良いかが、即、明らかになり、オペレータはトラヒック測定登録を迅速に、かつ、容易に行うことができる。
【００２７】
【発明の効果】
本発明の交換機遠隔集中保守装置におけるトラヒック測定登録方法は、トラヒック測定を登録するために登録データが入力されたとき、該登録データにより実施されるトラヒック測定の結果得られるデータの交換機遠隔集中保守装置における処理時間（１）を計算し、既登録データの測定項目の中から前記登録データと同一測定周期の測定項目の処理時間（２）を求め、前記処理時間（１）と前記処理時間（２）とを加えた合計処理時間により前記登録データの登録可否の判定を行い、登録不可と判断したときは、登録解除しなければならない測定項目の候補を既登録データの測定項目の中から選択するため、トラヒック測定の登録が不可となってもその状況を測定登録時点で知ることができ、もし登録不可の場合は既登録データのどの測定項目を解除すれば良いかが、即、明らかになり、オペレータはトラヒック測定登録を迅速に、かつ、容易に行うことができる。
【００２８】
また、前記登録データは、測定対象交換機、測定項目、測定対象項目数および測定周期とするため、登録データを適切なものとしてトラヒック測定登録を行うことができる。
【００２９】
また、前記処理時間（１）は、前記登録データの測定項目に対し、予め定めた登録データの測定項目ごとに予め計算した単位処理時間から算出するため、処理時間（１）を容易に算出しトラヒック測定登録を行うことができる。
【００３０】
また、前記登録データの登録可否の判定は、処理時間（１）と処理時間（２）とを加えた前記合計処理時間が、前記登録データで指定した周期時間を超えないとき登録可能と判断し、該周期時間を超えたとき登録不可と判断するため、登録データの登録可否の判定を的確に行いトラヒック測定登録を行うことができる。
【００３１】
また、前記登録解除しなければならない測定項目の候補は、既登録データの測定項目の中から、前記既登録データと同一測定周期の測定項目とするため、登録解除の測定項目の候補を的確に選定しトラヒック測定登録を行うことができる。
【００３２】
また、前記登録データの登録可否の判定で登録可能と判断したときは、測定項目の登録を更新し、測定対象交換機に対して登録通知を送信するため、登録可能のとき登録データの登録を即行うことができる。
【００３３】
さらに、前記登録データの登録可否の判定で登録不可と判断したときは、登録解除しなければならない測定項目の候補をオペレータの端末を通じ表示するため、トラヒック測定の処理が指定した周期時間の間にできずトラヒック測定の登録が不可となっても、オペレータは登録解除の測定項目の候補を容易に知ることができる。
【図面の簡単な説明】
【図１】本発明に関わる交換機遠隔集中保守装置におけるトラヒック測定登録方法を説明するための交換機遠隔集中保守装置のブロックと、交換機遠隔集中保守装置に接続した複数の交換機を示す。
【図２】図１に示した交換機遠隔集中保守装置の測定単位処理時間ＤＢに格納されている測定項目とそれに対応した単位処理時間を示す。
【図３】図１に示した交換機遠隔集中保守装置の測定項目登録状態ＤＢに記憶されている既登録データの測定対象交換機、測定項目、測定対象項目数、該測定項目の総処理時間、該測定項目の測定周期を示す。
【符号の説明】
１  交換機遠隔集中保守装置
１１  端末
１２  測定登録受付機能
１３  単位処理時間ＤＢ
１４  処理時間計算機能  
１５  登録許容分析機能  
１６  測定項目登録状態ＤＢ
１７  登録更新機能
１８  交換機登録通知機能
【図１】
0003539350.tif 000002
【図２】
0003539350.tif 000003
【図３】
0003539350.tif 000004